(57)【要約】【課題】車椅子の利用者が自ら車椅子を駆動できる者であっても要介護者であっても、車椅子の座席が車椅子の利用者が座ったままで滑らかにベッド等の方向へスライドできるものとする。【解決手段】座面２１を備えた座部２３と、座部２３を支持するフレーム部１と、フレーム部１の左右に位置する一対の駆動輪４と、該一対の駆動輪４の前方に位置する一対の前車輪６とを備える車椅子において、前記一対の駆動輪４の少なくとも一方を座部２３より後方へ移動できるように設けられた駆動輪の後退動手段５と、駆動輪の後退動手段５によっていずれか一方の駆動輪４を後方へ移動させた後、駆動輪４が移動された側の左右方向の外側方向へ座部２３をスライドできるように、座部２３に設けられた被ガイド部３１２に対応し、フレーム部１に左右方向へ延びるガイド部３１１が設けられて構成されている座部横スライド機構部３１とを具備する。【選択図】図１
2013123510.tif 000002
【特許請求の範囲】
【請求項１】
座面を備えた座部と、該座部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座部より後方へ移動できるように設けられた駆動輪の後退動手段と、
該駆動輪の後退動手段によっていずれか一方の前記駆動輪を後方へ移動させた後、該駆動輪が移動された側の左右方向の外側方向へ前記座部をスライドできるように、前記座部に設けられた被ガイド部に対応し、前記フレーム部に左右方向へ延びるガイド部が設けられて構成されている座部横スライド機構部とを具備することを特徴とする車椅子。
【請求項２】
前記座部横スライド機構部は、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備えることを特徴とする請求項１に記載の車椅子。
【請求項３】
座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座席部より後方へ移動できるように設けられた駆動輪の後退動手段と、
該駆動輪の後退動手段によっていずれか一方の前記駆動輪を後方へ移動させた後、該駆動輪が移動された側の左右方向の外側方向へ前記座席部をスライドできるように、前記座部及び前記背もたれ部のそれぞれに設けられた被ガイド部に対応し、前記フレーム部に左右方向へ延びるガイド部がそれぞれ設けられて構成されている座席横スライド手段とを具備することを特徴とする車椅子。
【請求項４】
前記座席横スライド手段は、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部を具備することを特徴とする請求項３に記載の車椅子。
【請求項５】
二組の前記座部横スライド機構部を備えることを特徴とする請求項１〜４のいずれかに記載の車椅子。
【請求項６】
前記座席横スライド手段は、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部と、該背もたれ部用被ガイド部の移動方向の延長上にあって前記背もたれ部の背面に接し且つ転動して該背もたれ部を案内すると共に支持するように前記フレーム部の前記座席部が外側へ移動する側の縁部側に設けられた背もたれ部用ローラ部とを備える背もたれ部スライド機構部を具備することを特徴とする請求項３〜４のいずれかに記載の車椅子。
【請求項７】
前記駆動輪の後退動手段は、前記駆動輪の車軸を保持する車軸保持部と、前記フレームの側部において前記車軸保持部を前後へ移動可能に保持する車軸ガイド部と、前記車軸保持部を前後に移動させるために該車軸保持部と連結された操作部とを備えることを特徴とする請求項１〜６のいずれかに記載の車椅子。
【請求項８】
前記座部は、該座部の側部に洋式便器の便座の湾曲面に沿うような凹曲面が形成されていることを特徴とする請求項１〜７のいずれかに記載の車椅子。
【発明の詳細な説明】
【技術分野】
【０００１】
この発明は、車椅子とベッドや洋式便器等との間で、車椅子の利用者の安全でかつ容易な移動を可能とする車椅子に関する。
【背景技術】
【０００２】
自走タイプの車椅子からベッドや洋式便器に移ることは、身体の体重を腕で支えながらの作業となり、車椅子の利用者にとって容易なことではない。介護をする者にとっても、一旦被介護者の体重を支えることとなり重労働である。また、車椅子からベッド等へ移動する際に、車椅子とベッド等との隙間から身体が床面に落下する危険がある。
【０００３】
そこで、車椅子からベッド等への移動の際に、車輪を後方へ移動させたり、座面を前方へスライドさせたりした後、座面とベッド等との間に板状体を架け渡して身体をずらしながら移動できるようにした発明が提案されている（特許文献１）。
【０００４】
しかしながら、そのような板状体を架け渡したとしても、横方向へ身体をずらしつつ移動することは必ずしも容易ではない。また、板状体を架け渡した後に元に戻す手間も課題となる。
【０００５】
この点について、介護タイプの車椅子の考案において、座面をベッド等の方向へスライドさせることが提案されている（特許文献２）。
【０００６】
しかしながら、この考案では、座席７をスライドさせるための金具として、座席７の前方のスライド金具８のみが用いられている。座席７の後端下面は単にフレームの突条面上を摺動するのみである。したがって、その摺動する際の抵抗により、要介護者が座ったまま補助パイプ操作レバー５によって座席をスライドさせることは困難と考えられる。また、補助パイプ操作レバー５は常に側方へ突出しており、車椅子の移動に障害となる。
【先行技術文献】
【特許文献】
【０００７】
【特許文献１】特願平９−２８０５１９号公報
【特許文献２】実用新案登録第３０６７５８５号公報
【発明の概要】
【発明が解決しようとする課題】
【０００８】
そこで、車椅子に関して解決しようとする課題は、最も利用される後輪駆動の自走タイプの車椅子において、車椅子の利用者が自ら車椅子を駆動できる者であっても要介護者であっても、車椅子の座席が車椅子の利用者が座ったままで滑らかにベッド等の方向へスライドできるものとすることにある。
【課題を解決するための手段】
【０００９】
前記課題を解決するため、本発明にかかる車椅子の一形態によれば、座面を備えた座部と、該座部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座部より後方へ移動できるように設けられた駆動輪の後退動手段と、該駆動輪の後退動手段によっていずれか一方の前記駆動輪を後方へ移動させた後、該駆動輪が移動された側の左右方向の外側方向へ前記座部をスライドできるように、前記座部に設けられた被ガイド部に対応し、前記フレーム部に左右方向へ延びるガイド部が設けられて構成されている座部横スライド機構部とを具備する。
【００１０】
また、本発明にかかる車椅子の一形態によれば、前記座部横スライド機構部は、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備えることを特徴とすることができる。
【００１１】
また、本発明にかかる車椅子の一形態によれば、座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座席部より後方へ移動できるように設けられた駆動輪の後退動手段と、  該駆動輪の後退動手段によっていずれか一方の前記駆動輪を後方へ移動させた後、該駆動輪が移動された側の左右方向の外側方向へ前記座席部をスライドできるように、前記座部及び前記背もたれ部のそれぞれに設けられた被ガイド部に対応し、前記フレーム部に左右方向へ延びるガイド部がそれぞれ設けられて構成されている座席横スライド手段とを具備する。
【００１２】
また、本発明にかかる車椅子の一形態によれば、前記座席横スライド手段は、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部を具備することを特徴とすることができる。
【００１３】
また、本発明にかかる車椅子の一形態によれば、二組の前記座部横スライド機構部を備えたものとすることを特徴とすることができる。
【００１４】
また、本発明にかかる車椅子の一形態によれば、前記座席横スライド手段は、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部と、該背もたれ部用被ガイド部の移動方向の延長上にあって前記背もたれ部の背面に接し且つ転動して該背もたれ部を案内すると共に支持するように前記フレーム部の前記座席部が外側へ移動する側の縁部側に設けられた背もたれ部用ローラ部とを備える背もたれ部スライド機構部を具備することを特徴とすることができる。
【００１５】
また、本発明にかかる車椅子の一形態によれば、前記駆動輪の後退動手段は、前記駆動輪の車軸を保持する車軸保持部と、前記フレームの側部において前記車軸保持部を前後へ移動可能に保持する車軸ガイド部と、前記車軸保持部を前後に移動させるために該車軸保持部と連結された操作部とを備えることを特徴とすることができる。
【００１６】
また、本発明にかかる車椅子の一形態によれば、前記座部は、該座部の側部に洋式便器の便座の湾曲面に沿うような凹曲面が形成されていることを特徴とすることができる。
【発明の効果】
【００１７】
本発明にかかる車椅子によれば、車椅子の利用者が座席に乗ったままの状態で座席を滑らかにスライドさせることができるため、車椅子の利用者の左右方向への体重移動に要する労力が大幅に軽減できるという特別有利な効果を奏する。
【図面の簡単な説明】
【００１８】
【図１】本発明にかかる車椅子の車輪を移動した状態を示す側面図である。肘掛及びリムは省略してある。
【図２】本発明にかかる車椅子の車輪を移動させ、座部をスライドする状態を示す平面図である。肘掛及びリム並びに足乗せ機構は省略してある。
【図３】本発明にかかる車椅子の座部をスライドする状態を示す正面図である。肘掛及びリム並びに足乗せ機構は省略してある。
【図４】本発明にかかる車椅子の座席のスライドをロックするための肘掛を嵌めた状態を示す部分拡大図である。
【図５】本発明にかかる車椅子に装着される肘掛の他の形態例を示す側面図である。
【発明を実施するための形態】
【００１９】
以下、本発明にかかる車椅子の形態例を添付図面（図１乃至４）に基づいて説明する。
【００２０】
まず、本形態例における車椅子の基本的な構成について説明する。
この車椅子は、車椅子の骨格となるフレーム部１と、座部２３及び背もたれ部２６を備えた座席部２と、座席部２を横方向へスライドさせる座席横スライド手段３と、フレーム部１の左右側部に位置する一対の駆動輪４の少なくとも一方を、座席部２をスライド可能とするため後方へ移動できるように設けられた駆動輪４の後退動手段５と、駆動輪４の前方で車椅子の移動方向を左右する一対の前車輪６とを備える。以下、各部の構成について具体的に説明する。
【００２１】
フレーム部１は、アルミ、スチール等を材質とするパイプ部材で構成される。このパイプ部材は、図１及び図３に示すように、座部２３の下の前後方向に水平に伸びた側部フレーム１ａと、背もたれ部２４の後方の側部フレーム１ａから後方斜め上方に延設された背もたれ部用フレーム１ｂと、前車輪６を保持するヨーク６１の支持部を下端で固定する側部フレーム１ａの前端部から下方へ垂直に伸びた前車輪用フレーム１ｃとを有している。さらに、側部フレーム１ａから前方へ延設して足を乗せる板（図示せず）を保持する足乗台用フレーム１ｄを設けている。また、背もたれ部用フレーム１ｂの上部が後方へ水平に延設された箇所には、介護人が車椅子を操作するためのハンドル８が形成されている。これらの形状のフレームが２列に並んで、横方向に架け渡された複数本のパイプ部材で連結されている。また、本形態例では側部フレーム１ａに沿って肘掛９（図３参照）が取り外し可能に保持されている。
【００２２】
ここで、標準的な自走タイプの車椅子は、側部フレーム１ａの後端部より下へ垂直方向に形成したフレームで駆動輪４の車軸を保持している。これに対し、本形態例では、右側面後方は従来の車椅子と同様であるが、左側面後方に座席部２をスライド可能とするための後述する駆動輪４の後退動手段５を備えている点で大きく異なる。なお、駆動輪４の後退動手段５は、車椅子の右側面部に備えることも両側に備えることも可能であり、車椅子の利用者の生活環境に合わせることが可能である。
【００２３】
座席部２は、図１に示すように、クッション性のある座面２１で覆った平板状の座板２２を有する座部２３と、座部２３と同様にクッション性のある背当て面２４で覆った背板２５を有する背もたれ部２６とを備えている。この背もたれ部２６は座部２３の後方から座部２３と同幅で立設されている。このように背もたれ部２６が座部２３より立設し、両部分が同時にスライドすることは、身体の重心移動が困難で、背もたれ部２６に常に寄りかかるような車椅子の利用者に特に好適である。
【００２４】
座部２３は、左側面部において、図３に示すように、後方部分で車椅子の利用者の左太ももの下方部分を削る程度の凹曲面２３ａが形成されている。また、凹曲面２３ａの前方部分は、該凹曲面２３ａから連続する曲面と座部２３の前端面の左方向への延長部とに挟まれ、フレーム部１ａの位置より左側で駆動輪４の左側面部の位置程度に突出したフック状部２３ｂが形成されている。この凹曲面２３ａは、洋式便器の便座の湾曲面に沿うものであり、腰の全てを便座に乗せることなく用を足すことを可能とする。これにより、身体の移動距離を少なくして車椅子の利用者等の労力を減らすことができる。また、このフック状部２３ｂは、後述するように、車椅子の肘掛９によって座部２３がスライドすることを防止する手段を構成する。
【００２５】
座板２２と側部フレーム１ａとの間及び背板２５と背もたれ部用フレーム１ｂとの間には、それぞれ座席２を左側へスライドさせるための座部横スライド機構部３１（前後２組）と背もたれ部スライド機構部３２とから構成される座席横スライド手段３が備えられている。
【００２６】
座部横スライド機構部３１は、座部２３の下方でフレーム部１ａに左右方向へ延設された棒状の座部用ガイド部３１１と、座部用ガイド部３１１に案内されると共に脱落しないように係合されて左右方向へ移動するように座部２３の下面に固定された座部用被ガイド部３１２とを備えている。
【００２７】
座部横スライド機構部３１は、リニアガイド、例えばＬＭガイド（登録商標）で構成されている。座板２２の下面にボールやローラーを内蔵したブロック体からなる座部用被ガイド部３１２を固定し、この座部用被ガイド部３１２を、レールや円柱体等の棒状部からなる座部用ガイド部３１１に係合、嵌合させ、座部２３を滑らかにスライドさせることができる。このリニアガイドの採用により、座部２３は車椅子の利用者が乗った状態でも滑らかに動き、車椅子の利用者等の労力を軽減させることができる。なお、リニアガイドは電動で操作するものであってもよい。
【００２８】
２組の座部横スライド機構部３１のうち、前方の座部用ガイド部３１１は、図２に示すように、座部２３の下の側部フレーム１ａの前端部において右側の側部フレーム１ａの位置から左側の側部フレーム１ａを越えてフック状部２３ｂの下まで延設されている。後方の座部用ガイド部３１１は、左右側部フレーム１ａの幅に延設されている。
【００２９】
座部横スライド機構部３１は、図１乃至図３に示すように、座部用被ガイド部３１２の移動方向の延長上にあって座部２３の下面に接し且つ転動して座部２３を案内すると共に支持するように、フレーム部１における座席部２が外側へ移動する側の縁部側に座部用ローラ部３１３を設けている。
【００３０】
座部用ローラ部３１３は、ローラ３１３ａとそのローラ３１３ａの軸受け３１３ｂを備えている。本形態例では、一対のローラ３１３ａが、軸受け３１３ｂを介して、座部用ガイド部３１１を挟むように前後に配されて、一つの座部用ローラ部３１３が構成されている。前方の座部用ローラ部３１３は、側部フレーム１ａに固定された延設板部３１４の上に固定されてフック状部２３ｂの下に位置し、後方の座部用ローラ部３１３は、左側の側部フレーム１ａの上に位置している。このローラ３１３ａによって座部２３が支持され、そのローラ３１３ａが転動するため、座部２３が水平状態を保ったままでより滑らかにスライドすることとなる。前方の座部用ローラ部３１３をフック状部２３ｂの下に位置させることで、座部用被ガイド部３１２との間のスパンがより大きく取れるため、座部２３をより安定した状態に支持することができる。
【００３１】
背もたれ部スライド機構部３２は、基本的に前記座部２３下のに設けられた座部横スライド機構部３１と同様の構成である。すなわち、背もたれ部２６の後方で左右背もたれ部用フレーム１ｂに左右方向へ延設された背もたれ部用ガイド部３２１と、背もたれ部用ガイド部３２１に案内されると共に脱落しないように係合されて左右方向へ移動するように背もたれ部２６の背面に固定された背もたれ部用被ガイド部３２２と、背もたれ部用被ガイド部３２２の移動方向の延長上にあって背もたれ部２６の背面に接し且つ転動して背もたれ部２６を案内すると共に支持するように、フレーム部１における座席部２が外側へ移動する側の縁部側に設けられた背もたれ部用ローラ部３２３とを備える。背もたれ部スライド機構部３２を設けることで、背もたれ部２６に常に寄りかかるような車椅子の利用者の座席３を滑らかにスライドさせることができる。
【００３２】
駆動輪の後退動手段５は、側部フレーム１ａと一体に形成されている。本形態例では、座席部２を左側にスライド可能とするため、左側の駆動輪４の車軸４１を後方へ退動させて駆動輪４を後退させる。駆動輪４を後退させるため、操作バー５１が用いられる。操作バー５１は、図１に示すように、左側の駆動輪４とその前方の前車輪６との間の側部フレーム１ａの下に略並行して設けた横長の平行フレーム１ｅより下方に伸びた縦延設部５２に軸支される。操作バー５１は、後方へ倒したときに、座席部２の横方向へのスライドを妨げないよう構成されている。
【００３３】
操作バー５１の長手方向の中央部付近には車軸４１を保持するための車軸保持部５４に連結される連結バー５３が軸支されている。この連結バー５３は、操作バー５１を後方へ倒すことにより後方へ退動し、これによって車軸保持部５４も後退し、左の駆動輪４が後退する。
【００３４】
車軸保持部５４は、縦長矩形状であって中央部で車軸４１を回転可能に保持し、上部と下部とでそれぞれ横長棒状体からなる車軸ガイド部５５に案内されて前後方向に移動できる。また、本形態例の車軸保持部５４は、前述したリニアガイドを介して車軸ガイド部５５に脱落しないように嵌まっており、座席３の移動と同様にスムースに前後方向へ移動できる。車軸ガイド部５５は、図１に示すように、座部２３下方の側部フレーム１ａと平行フレーム１ｅとから連続して後方へ延設された横長の矩形状枠体５６に固定されている。
【００３５】
駆動輪４の後退動手段５は、操作バー５１を倒すと車軸保持部５４に保持された車軸４１によって駆動輪４が回転しながら後退するため、てこの原理によって後方へ押される連結バー５３によって小さな力で駆動輪４を後退させることができる。なお、本形態例では、横長棒状体からなる車軸ガイド部５５及びその車軸ガイド部５５に沿って移動するリニアガイドを採用しているが、車軸保持部５３が前後に移動可能な構成であればラックとピニオンギヤや、レールを用いたガイド部等で駆動輪の後退動手段５を構成することができる。
【００３６】
本形態例の車椅子は、肘掛９を取り外し可能に保持することができる。そのため、側部フレーム１ａの前端部と後端部付近に、それぞれ嵌合部９１が形成されている。この場合、図４に示すように、左側の肘掛９を保持するにあたり、フック状部２３ｂの前端面に形成した凹部に肘掛９の前方のパイプ部が挿通し、かつ側部フレーム１ａの前端部付近の嵌合部に嵌ることにより、座席部２をスライドしないように固定できる。これにより、駆動輪４を後退させた後、介護者が座席部２をスライドさせる前に、被介護者が不十分なスライド位置によって床に転落することを防ぐことができる。なお、図５に示すように、側部フレーム１ａの後端部付近に肘掛９の軸着部９ａを設け、肘掛９を後方へ回動させることもできる。
【００３７】
以上の構成によって、車椅子の利用者が車椅子からベッドへ移動するに際しては、車椅子をベッドの脇に移動し、操作バー５１を後方へ倒し、肘掛９の嵌合状態を解除し、座席部２を車椅子の利用者が座ったままの状態で座席部２をスライドさせてベッドの上面にフック状部２３ｂがかかる位置まで移動させる。その後、足を上げてベッドの上面で身体をひねるだけでベッドに移ることができる。また、洋式便器で用を足す際は、肘掛９の嵌合状態を解除した後、座席部２を便座の上部に一部が掛かる位置か、便座の側面に接する位置にスライドさせ、腰を少し移動させた後に用を足すことができる。
【００３８】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３９】
１  フレーム部
１ａ  側部フレーム
１ｂ  背もたれ部フレーム
１ｃ  前車輪用フレーム
１ｄ  足乗台用フレーム
１ｅ  平行フレーム
２  座席部
２１  座面
２２  座板
２３  座部
２３ａ  凹曲面部
２３ｂ  フック状部
２４  背あて面
２５  背板
２６  背もたれ部
３  座席横スライド手段
３１  座部横スライド機構部
３１１  座部用ガイド部  
３１２  座部用被ガイド部
３１３  座部用ローラ部  
３１３ａ  ローラ
３１３ｂ  軸受け
３２  背もたれ部スライド機構部
３２１  背もたれ部用ガイド部  
３２２  背もたれ部用被ガイド部
３２３  背もたれ部用ローラ部  
４  駆動輪
４１  車軸
５  駆動輪の後退動手段
５１  操作バー
５２  縦延設部
５３  連結バー  
５４  車軸保持部
５５  車軸ガイド部
５６  矩形状枠体
６  前車輪
６１  ヨーク
８  ハンドル
９  肘掛
９１  嵌合部
【図１】
2013123510.tif 000003
【図２】
2013123510.tif 000004
【図３】
2013123510.tif 000005
【図４】
2013123510.tif 000006
【図５】
2013123510.tif 000007
【手続補正書】
【提出日】平成24年3月16日(2012.3.16)
【手続補正１】
【補正対象書類名】明細書
【補正対象項目名】０００７
【補正方法】変更
【補正の内容】
【０００７】
【特許文献１】特開２００９−１７８４９２号公報
【特許文献２】実用新案登録第３０６７５８５号公報
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
座面を備えた座部と、該座部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、
該駆動輪の後退動手段によっていずれか一方の前記駆動輪を後方へ移動させた後、該駆動輪が移動された側の左右方向の外側方向へ前記座部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とで構成されている座部横スライド機構部とを具備することを特徴とする車椅子。
【請求項２】
座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、
前記一対の駆動輪の少なくとも一方を前記座席部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、
該駆動輪の後退動手段によっていずれか一方の前記駆動輪を後方へ移動させた後、該駆動輪が移動された側の左右方向の外側方向へ前記座席部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部と、該背もたれ部用被ガイド部の移動方向の延長上にあって前記背もたれ部の背面に接し且つ転動して該背もたれ部を案内すると共に支持するように前記フレーム部の前記座席部が外側へ移動する側の縁部側に設けられた背もたれ部用ローラ部とを備える背もたれ部スライド機構部とがそれぞれ設けられて構成されている座席横スライド手段とを具備することを特徴とする車椅子。
【請求項３】
二組の前記座部横スライド機構部を備えることを特徴とする請求項１又は２に記載の車椅子。
【請求項４】
前記座部は、該座部の側部に洋式便器の便座の湾曲面に沿うような凹曲面が形成されていることを特徴とする請求項１〜３のいずれかに記載の車椅子。
【手続補正２】
【補正対象書類名】明細書
【補正対象項目名】０００９
【補正方法】変更
【補正の内容】
【０００９】
前記課題を解決するため、本発明にかかる車椅子の一形態によれば、座面を備えた座部と、該座部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、該駆動輪の後退動手段によっていずれか一方の前記駆動輪を後方へ移動させた後、該駆動輪が移動された側の左右方向の外側方向へ前記座部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とで構成されている座部横スライド機構部とを具備する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、本発明にかかる車椅子の一形態によれば、座面を備えた座部及び該座部に座る利用者の背中を支えるように該座部と一体化された背もたれ部を備える座席部と、該座席部を支持するフレーム部と、該フレーム部の左右に位置する一対の駆動輪と、該一対の駆動輪の前方に位置する一対の前車輪とを備える車椅子において、前記一対の駆動輪の少なくとも一方を前記座席部より後方へ移動できるように、前記駆動輪の車軸を保持する車軸保持部と、前記フレーム部の側部において前記車軸保持部を前後へ移動可能に保持する車軸ガイド部と、前記車軸保持部を前後に移動させるために該車軸保持部と連結された操作部とを備える駆動輪の後退動手段と、該駆動輪の後退動手段によっていずれか一方の前記駆動輪を後方へ移動させた後、該駆動輪が移動された側の左右方向の外側方向へ前記座席部をスライドできるように、前記座部の下方で前記フレーム部に左右方向へ延設された座部用ガイド部と、該座部用ガイド部に案内されると共に脱落しないように係合されて左右方向へ移動するように前記座部の下面に固定された座部用被ガイド部と、該座部用被ガイド部の移動方向の延長上にあって前記座部の下面に接し且つ転動して該座部を案内すると共に支持するように前記フレーム部の前記座席部が外側へ移動する側の縁部側に設けられた座部用ローラ部とを備える座部横スライド機構部と、前記背もたれ部の後方で前記フレーム部に左右方向へ延設された背もたれ部用ガイド部と、該背もたれ部用ガイド部に案内されると共に脱落しないように係合されて左右方向へ移動するように前記背もたれ部の背面に固定された背もたれ部用被ガイド部と、該背もたれ部用被ガイド部の移動方向の延長上にあって前記背もたれ部の背面に接し且つ転動して該背もたれ部を案内すると共に支持するように前記フレーム部の前記座席部が外側へ移動する側の縁部側に設けられた背もたれ部用ローラ部とを備える背もたれ部スライド機構部とがそれぞれ設けられて構成されている座席横スライド手段とを具備する。
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００２４
【補正方法】変更
【補正の内容】
【００２４】
座部２３は、左側面部において、図３に示すように、後方部分で車椅子の利用者の左太ももの下方部分を削る程度の凹曲面２３ａが形成されている。また、凹曲面２３ａの前方部分は、該凹曲面２３ａから連続する曲面と座部２３の前端面の左方向への延長部とに挟まれ、側部フレーム部１ａの位置より左側で駆動輪４の左側面部の位置程度に突出したフック状部２３ｂが形成されている。この凹曲面２３ａは、洋式便器の便座の湾曲面に沿うものであり、腰の全てを便座に乗せることなく用を足すことを可能とする。これにより、身体の移動距離を少なくして車椅子の利用者等の労力を減らすことができる。また、このフック状部２３ｂは、後述するように、車椅子の肘掛９によって座部２３がスライドすることを防止する手段を構成する。
【手続補正９】
【補正対象書類名】明細書
【補正対象項目名】００２６
【補正方法】変更
【補正の内容】
【００２６】
座部横スライド機構部３１は、座部２３の下方で側部フレーム部１ａに左右方向へ延設された棒状の座部用ガイド部３１１と、座部用ガイド部３１１に案内されると共に脱落しないように係合されて左右方向へ移動するように座部２３の下面に固定された座部用被ガイド部３１２とを備えている。
【手続補正１０】
【補正対象書類名】明細書
【補正対象項目名】００３１
【補正方法】変更
【補正の内容】
【００３１】
背もたれ部スライド機構部３２は、基本的に前記座部２３の下に設けられた座部横スライド機構部３１と同様の構成である。すなわち、背もたれ部２６の後方で左右背もたれ部用フレーム１ｂに左右方向へ延設された背もたれ部用ガイド部３２１と、背もたれ部用ガイド部３２１に案内されると共に脱落しないように係合されて左右方向へ移動するように背もたれ部２６の背面に固定された背もたれ部用被ガイド部３２２と、背もたれ部用被ガイド部３２２の移動方向の延長上にあって背もたれ部２６の背面に接し且つ転動して背もたれ部２６を案内すると共に支持するように、フレーム部１における座席部２が外側へ移動する側の縁部側に設けられた背もたれ部用ローラ部３２３とを備える。背もたれ部スライド機構部３２を設けることで、背もたれ部２６に常に寄りかかるような車椅子の利用者の座席３を滑らかにスライドさせることができる。